(57)【特許請求の範囲】
【請求項１】
操作部の操作によって入力された各種パラメータの値を受け付けるパラメータ受付手段と、
前記パラメータ受付手段が受け付けた各種パラメータがリアルタイムに記憶されるテンポラリー領域が設定されるとともに、複数のパラメータを一組にして継続的に記憶する設定パラメータ群記憶領域が複数設定される記憶手段と、
外部機器から信号を受信する信号受信部と、
前記信号受信部が受信した信号に対して、前記テンポラリー領域に記憶されたパラメータに基づいて信号処理を施す信号処理部と、
前記信号処理部により信号処理が施された信号を出力する信号出力部と、
前記記憶手段に設定されたテンポラリー領域に含まれるパラメータの中から、いずれか１または複数のパラメータを指定すると共に、前記記憶手段に複数設定された設定パラメータ群記憶領域のいずれかを指定する書込指定手段と、
前記テンポラリー領域から、前記書込指定手段により指定された設定パラメータ群記憶領域に、前記書込指定手段により指定されたパラメータを転送することにより、前記設定パラメータ群記憶領域内の対応するパラメータの値を更新する更新手段と、
前記記憶手段に複数設定された設定パラメータ群記憶領域のいずれかを指定する読出指定手段と、
前記読出指定手段により指定された設定パラメータ群記憶領域からパラメータを読み出し前記テンポラリー領域内の対応するパラメータの値を更新する設定手段と
を有することを特徴とする信号処理装置。
【請求項２】
操作部の操作によって入力された各種パラメータの値を受け付けるパラメータ受付手段と、
前記パラメータ受付手段が受け付けた各種パラメータがリアルタイムに記憶されるテンポラリー領域が設定されるとともに、複数のパラメータを一組にして継続的に記憶する設定パラメータ群記憶領域が複数設定される記憶手段と、
外部機器から信号を受信する信号受信部と、
前記信号受信部が受信した信号に対して、前記テンポラリー領域に記憶されたパラメータに基づいて信号処理を施す信号処理部と、
前記信号処理部により信号処理が施された信号を出力する信号出力部と、
前記記憶手段に複数設定された設定パラメータ群記憶領域のいずれかを指定すると共に、該指定した設定パラメータ群記憶領域に記憶されたパラメータの中から、いずれか１または複数のパラメータを指定する読出指定手段と、
前記読出指定手段により指定されたパラメータを当該設定パラメータ群記憶領域から読み出し前記テンポラリー領域内の対応するパラメータの値を更新する設定手段と
を有することを特徴とする信号処理装置。
【請求項３】
前記テンポラリー領域に記憶されるパラメータの各々を、複数設けられたグループのいずれか１または複数に対応付けるテーブルを記憶するテーブル記憶手段を有し、
前記書込指定手段は、前記複数設けられたグループの中から１または複数のグループを指定し、
前記更新手段は、前記テーブルにおいて、前記書込指定手段により指定されたグループと対応付けられたパラメータについて、前記設定パラメータ群記憶領域内の対応するパラメータの値を更新する
ことを特徴とする請求項１に記載の信号処理装置。
【請求項４】
前記テンポラリー領域に記憶されるパラメータの各々を、複数設けられたグループのいずれか１または複数に対応付けるテーブルを記憶するテーブル記憶手段を有し、
前記読出指定手段は、前記複数設けられたグループの中から１または複数のグループを指定し、
前記設定手段は、前記テーブルにおいて、前記読出指定手段により指定されたグループと対応付けられたパラメータについて、前記テンポラリー領域の対応するパラメータの値を更新する
ことを特徴とする請求項２に記載の信号処理装置。
【請求項５】
前記信号処理部は、前記外部機器から受信した信号を増幅する処理を含むことを特徴とする請求項１ないし４のいずれかに記載の信号処理装置。
【発明の詳細な説明】
【技術分野】
【０００１】
本発明は、信号処理装置に関する。
【背景技術】
【０００２】
周知のように、ＡＶ（Audio Visual）アンプは、接続されたオーディオ機器（ソース）からの音声信号や映像信号を増幅すると共に種々の処理を施し、スピーカやモニタなどの出力装置に供給する。該ＡＶアンプのパフォーマンスを最適化するため、接続されるオーディオ機器の接続関係、視聴空間の音響特性などに応じてＡＶアンプに設定されるパラメータを調整することが行われている。その方法としては、各種のパラメータをマニュアルで設定する方法の他、自動的に各種パラメータを設定する方法が提案されている（特許文献１参照）。
【０００３】
その際、ＡＶアンプに設定されるパラメータ種は多岐に及ぶため、最適化されたパラメータを使用条件ごとにメモリに記憶しておき、記憶内容を適宜読み出して用いる技術が提案されている（特許文献２参照）。
【特許文献１】特開２００２−１５１９７５号公報
【特許文献２】特開２００２−１４２２７８号公報
【発明の開示】
【発明が解決しようとする課題】
【０００４】
上記特許文献２に記載された技術においては、予め決められたパラメータの組み合わせがメモリに記憶されている。そのため、例えばスピーカを取り替えた場合などＡＶアンプの使用条件が変更された場合に、該メモリを読み出して用いると、更新を望まないパラメータ値も同時に更新されてしまっていた。なぜなら、システムメモリに記憶された複数のパラメータの中から一部のパラメータだけを読み出して再設定することはできなかったからである。
【０００５】
本発明は上述の課題に鑑みてなされたものであり、パラメータを柔軟に設定可能な信号処理装置を提供すること目的とする。
【課題を解決するための手段】
【０００６】
本発明に係る信号処理装置は、操作部の操作によって入力された各種パラメータの値を受け付けるパラメータ受付手段と、前記パラメータ受付手段が受け付けた各種パラメータがリアルタイムに記憶されるテンポラリー領域が設定されるとともに、複数のパラメータを一組にして継続的に記憶する設定パラメータ群記憶領域が複数設定される記憶手段と、外部機器から信号を受信する信号受信部と、前記信号受信部が受信した信号に対して、前記テンポラリー領域に記憶されたパラメータに基づいて信号処理を施す信号処理部と、前記信号処理部により信号処理が施された信号を出力する信号出力部と、前記記憶手段に設定されたテンポラリー領域に含まれるパラメータの中から、いずれか１または複数のパラメータを指定すると共に、前記記憶手段に複数設定された設定パラメータ群記憶領域のいずれかを指定する書込指定手段と、前記テンポラリー領域から、前記書込指定手段により指定された設定パラメータ群記憶領域に、前記書込指定手段により指定されたパラメータを転送することにより、前記設定パラメータ群記憶領域内の対応するパラメータの値を更新する更新手段と、前記記憶手段に複数設定された設定パラメータ群記憶領域のいずれかを指定する読出指定手段と、前記読出指定手段により指定された設定パラメータ群記憶領域からパラメータを読み出し前記テンポラリー領域内の対応するパラメータの値を更新する設定手段とを有することを特徴とする。
なお、上記の構成において、前記テンポラリー領域に記憶されるパラメータの各々を、複数設けられたグループのいずれか１または複数に対応付けるテーブルを記憶するテーブル記憶手段を有し、前記書込指定手段は、前記複数設けられたグループの中から１または複数のグループを指定し、前記更新手段は、前記テーブルにおいて、前記書込指定手段により指定されたグループと対応付けられたパラメータについて、前記設定パラメータ群記憶領域内の対応するパラメータの値を更新しても良い。
【０００７】
また、本発明に係る別の態様の信号処理装置は、操作部の操作によって入力された各種パラメータの値を受け付けるパラメータ受付手段と、前記パラメータ受付手段が受け付けた各種パラメータがリアルタイムに記憶されるテンポラリー領域が設定されるとともに、複数のパラメータを一組にして継続的に記憶する設定パラメータ群記憶領域が複数設定される記憶手段と、外部機器から信号を受信する信号受信部と、前記信号受信部が受信した信号に対して、前記テンポラリー領域に記憶されたパラメータに基づいて信号処理を施す信号処理部と、前記信号処理部により信号処理が施された信号を出力する信号出力部と、前記記憶手段に複数設定された設定パラメータ群記憶領域のいずれかを指定すると共に、該指定した設定パラメータ群記憶領域に記憶されたパラメータの中から、いずれか１または複数のパラメータを指定する読出指定手段と、前記読出指定手段により指定されたパラメータを当該設定パラメータ群記憶領域から読み出し前記テンポラリー領域内の対応するパラメータの値を更新する設定手段とを有することを特徴とする。
なお、上記の構成において、前記テンポラリー領域に記憶されるパラメータの各々を、複数設けられたグループのいずれか１または複数に対応付けるテーブルを記憶するテーブル記憶手段を有し、前記読出指定手段は、前記複数設けられたグループの中から１または複数のグループを指定し、前記設定手段は、前記テーブルにおいて、前記読出指定手段により指定されたグループと対応付けられたパラメータについて、前記テンポラリー領域の対応するパラメータの値を更新しても良い。
【０００８】
また、上記の構成において、前記信号処理部は、前記外部機器から受信した信号を増幅する処理を含むとしても良い。
【発明の効果】
【０００９】
本発明に係る信号処理装置によれば、パラメータを柔軟に設定可能となる。
【発明を実施するための最良の形態】
【００１０】
本発明の実施形態について説明する前に、以下の説明で用いる用語について説明する。
「音場」とは、視聴空間が持つ特有の音の響きを言う。視聴空間において音源により発音された音は、空気を介して直接リスナーの耳に届く「直接音」のほかに、床や壁や天井などに一回反射してから聞こえてくる「初期反射音」、さらに何回も反射を繰り返しながら次第に減衰してゆく「後部残響音」を生成する。視聴空間の形状や広さ、内装材料の種類などによって、初期反射音や後部残響音の構成は異なることから、その視聴空間特有の響きが生まれ、これを「音場」と呼ぶ。
【００１１】
以下、図面を参照しつつ、本発明を実施する際の最良の形態について説明する。
（Ａ；構成）
本発明に係るＡＶアンプ１の構成について説明する。
【００１２】
（Ａ−１；ＡＶアンプ１本体の構成）
まず、ＡＶアンプ１本体の構成について、図１を参照して説明する。
制御部１１は、ＣＰＵ(Central Processing Unit)１１ＡとＲＯＭ(Read Only Memory)１１ＢとＲＡＭ(Random Access Memory)１１Ｃとを含む。ＣＰＵ１１Ａは、ＲＡＭ１１Ｃをワーキングエリアとして、ＲＯＭ１１Ｂに格納された制御プログラムを実行することによりＡＶアンプ１の各部を制御する。
【００１３】
ＵＩ(User interface)部１２は、表示部１２Ａと操作部１２Ｂと及びリモコン信号受信部１２Ｃとからなる。図２は、ＡＶアンプ１本体のフロント面を示す図である。
表示部１２Ａは、液晶パネルであり、制御部１１の制御下でＡＶアンプ１の設定状態や動作状態を表示する。
操作部１２Ｂは、ＡＶアンプ１を操作するための各種の操作子である。該操作子には、ＡＶアンプ１の電源の入／待機（スタンバイ）を切り換えるＳＴＡＮＤＢＹ／ＯＮスイッチ、後述する音場プログラムを選択するためのＰｒｏｇｒａｍｍｅ  Ｓｅｌｅｃｔｏｒスイッチ、再生する入力ソースを選択するためのＩｎｐｕｔ  Ｓｅｌｅｃｔｏｒスイッチ、ボリュームつまみなどが含まれる。
リモコン信号受信部１２Ｃは、後述する複数のリモコンから送信される操作信号（赤外線信号）を受信する。
【００１４】
再び図１に戻り、電源部１３は、ＡＶアンプ１の各部に電力を供給する。
チューナ１４は、ＡＭ放送やＦＭ放送などの電波を受信し、受信した電波を音声信号に変換し入力切替部２２に出力する。
アナログ音声信号処理部１５は、アナログ音声信号入力端子２１と入力切替部２２とボリューム調整部２３とを備え、デジタル音声信号処理部１７との間には、Ａ／Ｄ(Analog/Digital)コンバータ２４及びＤ／Ａコンバータ２５が設けられている。入力切替部２２は、アナログ音声信号入力端子２１及びチューナ１４からの入力信号をボリューム調整部２３またはＡ／Ｄコンバータ２４に出力する。
ボリューム調整部２３は、複数チャネル（２ｃｈ〜マルチチャネル）の各系統の音声信号のそれぞれについてボリュームを調整し、パワーアンプ２６に出力する。パワーアンプ２６は、マルチチャネルの信号に対応して複数並列で設けられており、各チャネルに対応するスピーカ５に増幅されたオーディオ信号を供給する。
【００１５】
デジタル音声信号処理部１７は、デジタル音声入力端子２９とＤＩＲ（Digital-Audio Interface Receiver）３０とデコーダ３１とＤＳＰ部３２とからなる。
デジタル音声入力端子２９に入力された音声信号は、ＤＩＲ３０を介してデコーダ３１に供給される。
デコーダ３１は、Ａ／Ｄコンバータ２４とＤＩＲ３０とＨＤＭＩリピータ３５から入力されるマルチチャネル信号をデコードして、ＤＳＰ（Digital Signal Processor）部３２に出力する。
ＤＳＰ部３２は、デコーダ３１から受取った音声信号に対し、各種の音響処理（音場効果の付加、スピーカ間の調整及び環境補正など）を行う。ＤＳＰ部３２から出力された音声信号は、Ｄ／Ａコンバータ２５でアナログ信号に変換され、ボリューム調整部２３に出力される。
【００１６】
デジタルインタフェース部１８は、ＨＤＭＩ(High-Definition Multimedia Interface)端子３３と入力選択部３４とＨＤＭＩリピータ３５とトランスミッター３６とからなる。
ＨＤＭＩ端子３３から入力された信号は、入力選択部３４を介してＨＤＭＩリピータ３５に入力される。デジタルオーディオ信号はデコーダ３１に入力され、ビデオ信号はトランスミッター３６を介してＨＤＭＩ端子３３を介して外部機器に出力される。
【００１７】
デジタルビデオ信号処理部１９は、デジタルビデオ処理及びＧＵＩ処理部３７とビデオエンコーダ３８とビデオデコーダ３９とからなる。
デジタルビデオ処理及びＧＵＩ処理部３７は、ＨＤＭＩリピータ３５とトランスミッター３６とビデオエンコーダ３８とビデオデコーダ３９とに接続されており、ＨＤＭＩリピータ３５またはビデオデコーダ３９からの入力信号に対して所定の処理を行い、ＨＤＭＩリピータ３５、トランスミッター３６又はビデオエンコーダ３８に出力する。
【００１８】
アナログビデオ信号処理部２０は、アナログビデオ入出力端子４０と入力切替部４１とバッファアンプ４２とバッファアンプ４３とからなる。アナログビデオ入出力端子４０の入力端子から入力されたビデオ信号は、入力切替部４１及びバッファアンプ４２を介してビデオデコーダ３９に入力される。また、ビデオエンコーダ３８の出力は、バッファアンプ４３を介してアナログビデオ入出力端子４０の出力端子から外部機器に出力される。
【００１９】
（Ａ−２；周辺機器の構成）
次に、ＡＶアンプ１の周辺機器について説明する。図３に示すように、ＡＶアンプ１には、モニタ２、再生装置３、オプティマイザーマイク４、スピーカ５が所定のケーブルで接続されている。また、リモコン６及びＧＵＩリモコン７が設けられている。
【００２０】
リモコン６は、各種の操作子を有し、ユーザによる操作内容を示す操作信号を本体に送信する。図４は、リモコン６のキー配置の一例を示す図である。リモコン６には、ＡＶアンプ１の電源を入れるためのＰＯＷＥＲキー、入力ソース（ＤＶＤ（Digital Versatile Disk）プレーヤ、ゲームなど）の選択を行うための入力選択キー、音場プログラムを選択するための複数の音場プログラム選択キー、ＡＶアンプ１に接続された再生装置３を操作するための操作キー（矢印キー、ＰＬＡＹ、ＳＫＩＰなど）、再生する曲番号を指定したりするためのテンキー、後述する各種エフェクト（ピュアダイレクトモード、ダイレクトモード、ストレートデコードモードナイトリスニングモードなど）を設定するためのエフェクトキーなどが配置される。赤外線送受信部は、操作信号をＡＶアンプ１本体のリモコン信号受信部１２Ｃに赤外線で送信する。
【００２１】
ＧＵＩリモコン７は、モニタ２に表示されたＧＵＩ画面に従ってＡＶアンプ１を操作するための操作子を有し、ユーザによる操作内容を示す操作信号を、ＡＶアンプ１本体に送信する。
図５は、ＧＵＩリモコン７のキー配置の一例を示す図である。ＧＵＩリモコン７には、ＡＶアンプ１の電源を入れるためのＰＯＷＥＲキー、ＡＶアンプ１の電源を待機状態（スタンバイ）にするためのＳＴＡＮＤＢＹキー、ＧＵＩ画面におけるカーソルを操作するためのカーソルキー、音量を調整するためのＶＯＬキー、ＧＵＩ画面上で選んだ項目の設定に入ったり設定値を決定したりするためのＥＮＴＥＲキー、ＧＵＩメニューから抜けるためのＥＸＩＴキーなどが配置される。赤外線送信部は、操作信号をＡＶアンプ１本体のリモコン信号受信部１２Ｃに赤外線で送信する。
【００２２】
モニタ２は画像信号の出力装置であり、本実施形態においては、２台のモニタ（以下、区別する場合にはモニタ２Ａ、２Ｂと称す）が図１におけるＨＤＭＩ端子３３に接続されている。
再生装置３は信号をＡＶアンプ１に出力する装置であり、本実施形態においてはＤＶＤプレーヤ５３とゲーム機５６とが含まれる。ＤＶＤプレーヤ５３は、ＤＶＤなどの記録メディアから信号を読み出す装置であり、図１におけるアナログ音声信号入力端子２１及びＨＤＭＩ端子３３を介してＡＶアンプ１に接続されている。ゲーム機５６は、ゲームの内容を表す音声信号及び映像信号を出力する装置であり、図１に示すデジタル音声入力端子２９及びアナログビデオ入出力端子４０に接続されている。
オプティマイザーマイク４は、収音した音を表す信号を生成する。該生成された信号は、図１におけるアナログ音声信号入力端子２１に入力される。
スピーカ５は、複数のスピーカを含む。各スピーカは、供給された音声信号に基づいて放音する。
【００２３】
（Ａ−３；スピーカの配置）
ここで、ＡＶアンプ１に接続されたスピーカ５の配置態様について説明する。図６に示すように、ＡＶアンプ１には、フロントＬ／Ｒスピーカと、センタースピーカと、サラウンドＬ／Ｒスピーカと、サラウンドバックＬ／Ｒスピーカと、プレゼンスＬ／Ｒスピーカと、サブウーファーとの、計１０個（サブウーファーは１つとカウントする）のスピーカが接続され、視聴空間Ｒにおいて図示した位置に配置される。ユーザ（図中Ｌ）は、図示した位置で音を聞き、この位置を以下ではリスニングポジションと呼ぶ。
図６に示したスピーカ配置は、ＡＶアンプ１が最も性能を発揮することができるスピーカ配置であり、ＩＴＵ−Ｒ基準配置に対応している。なお、ＩＴＵ−Ｒ基準配置とは、マルチチャネルオーディオのミキシングスタジオで採用されている国際的な基準配置である。
【００２４】
（Ａ−４；視聴空間最適化機能）
ここで、ＡＶアンプ１が有する「視聴空間最適化機能（以下、ＹＰＡＯと称す）」について説明する。ＹＰＡＯとは、あらゆる部屋の音響特性に最適化された設定を自動的にきめ細かく簡単に得る機能である。
オプティマイザーマイク４を上記リスニングポイントに設置し、ＹＰＡＯの処理を開始させると、予め設定された音（テストトーン）がスピーカ５から種々の態様で出力される。該テストトーンは視聴空間Ｒの壁面などで反射した後、ＡＶアンプ１本体に接続されたオプティマイザーマイク４により収音され、収音されたテストトーンが解析される。
ＡＶアンプ１は、収音したテストトーンについて以下に挙げる５つの項目を解析し、最適なパラメータを算出する。
【００２５】
（１）スピーカワイヤリングの確認
各スピーカの結線と位相やサブウーファーの位相を検出し、誤配線の確認をする。
（２）スピーカサイズの判定
フロントスピーカ、センタースピーカ、サラウンドスピーカ、サラウンドバックスピーカ、プレゼンススピーカの各スピーカサイズを測定する。サイズの判断はスピーカの低域再生能力を測ることにより行い、サブウーファーと最適につながるよう、各スピーカのクロスオーバー周波数を自動設定する。
（３）スピーカ距離の補正
リスニングポジションから各スピーカまでの距離を測定し、各スピーカから放音される信号の遅延時間を補正する。その際、各スピーカが視聴ポイントと同一円周状に均等距離になるよう遅延時間を調整する。
（４）周波数特性の補正
視聴空間Ｒにおいて用いられる場合の各スピーカの周波数特性を測定し、イコライジング処理を行うことにより各スピーカ間で音色を統一する。
（５）チャネル間レベルの調整
テストトーンによるチャネル（スピーカ）ごとの音圧レベルを測定し、スピーカ間の音圧レベルが最適なバランスとなるよう設定する。
【００２６】
このようにして測定された結果は、モニタ２に表示させることにより確認することができる。また、自動的に設定されるパラメータについては、設定されたパラメータ値を読み出して確認することができる。
例えば視聴空間Ｒの形状や視聴空間Ｒを形成する部材の材質など容易には変更できないために、ＩＴＵ-Ｒ推奨配置によるスピーカを設置することが難しい場合があるが、上記ＹＰＡＯによれば、あたかもスピーカ５がＩＴＵ-Ｒ推奨配置されているかのように音が再生される。
【００２７】
（Ａ−５；音場プログラム）
次に、ＡＶアンプ１が有する「音場プログラム」機能について説明する。音場プログラムとは、再生される音に各種の音響効果を付与することにより、あたかもコンサートホールなど他の視聴空間で放音されているかのような効果を付与するプログラムである。
実在する各種の視聴空間において、反射音の方向、強さ、帯域特性、遅延時間など音場を特徴付ける特性が実際に測定され、その音場を実現するためのパラメータが上記各種の視聴空間と対応付けてＲＯＭ１１Ｂに格納されている。
【００２８】
音場プログラムは、予め設定された多数のプログラムから選択可能である。ここでは、主に音楽の鑑賞に適した４つの音場プログラムを取り上げて説明する。
（１）コンサートホール
本音場プログラムは、コンサートホールの音場を再現するためのパラメータが設定される。広く奥行きがある視聴空間であるかのような音響効果が付与される。
（２）チャーチ
本音場プログラムは、適度な残響感を伴う教会の音場を再現するためのパラメータが設定される。
（３）ジャズクラブ
本音場プログラムは、実在するある特定のジャズクラブの音場を再現するためのパラメータが設定される。
（４）ロックコンサート
本音場プログラムは、ロックコンサートにおける広大なアリーナの音場を再現するためのパラメータが設定される。
【００２９】
上記各種の音場を実現するため、音場プログラム間で異なったパラメータに基づいてＤＳＰ処理がなされる。以下では、それぞれのＤＳＰ処理において用いられるパラメータから、一部を取り上げて説明する。
【００３０】
「エフェクト量」のパラメータにより、以下の各種エフェクトレベルが制御される。
「ディレイ」により、直接音から初期反射音が始まるまでの時間（遅延時間）が制御される。初期反射音の遅れは、音源と反射面との距離によって決まることから、遅延時間を短くすると音源が壁面に近づいた感じになり、逆に遅延時間を長くすると音源は壁面から離れた感じになる。従って、ディレイを調節することにより、ソースの原音から周りの壁までの距離感、空間の大きさ感、音像の態様等が制御される。
「視聴空間の大きさ」により、空間の拡がり感がコントロールされる。音が反射を繰り返すとき、壁と壁との間が広い大きなホールほど、反射音と反射音との時間的な間隔が長くなる。従って、この値を大きくするほど広い空間（部屋）、値を小さくするほど狭い空間であるとの印象を生じさせる。
「響きの強さ」により、初期反射音の減衰特性が制御される。この値を大きくするほど、反響が多く「ライブ」な音場になり、値を小さくするほど反響が少ない「デッド」な音場になる。実際のホールでのライブ感／デッド感は、反射面の吸音特性によって決定され、反射音の減衰が早ければデッドに、遅ければライブに感じられる。
「残響時間」により、後部残響音が減衰していく時間がコントロールされる。残響時間を調整することにより、デッドな視聴空間において長めの残響時間を設定したり、逆にライブな視聴空間において短い残響時間を設定したりして、自然な残響音が生成できる。
「残響音の遅れ」により、後部残響音が発生し始めるまでの時間が制御される。この値を大きくするほど、後部残響音が最初の初期反射音より遅れて発生するようになる。同じ残響時間でも、残響音の遅れを大きくすると、大きな空間の残響感になる。
「残響音の強さ」により、後部残響音のレベルがコントロールされる。この値を大きくするほど後部残響音のレベルが大きくなり、余韻が強く感じられる。
また、上記の他にもスピーカごとの出力レベルの設定や、２チャネルソースをデコードするデコーダを指定するパラメータなどが設けられている。
【００３１】
（Ａ−６；再生モード）
ＡＶアンプ１には、上記音場プログラムに加え、以下のような再生モードが設けられている。ユーザにより特定のモードが選択されると、該選択されたモードに対応するパラメータが自動的に設定される。
ピュアダイレクトモードとは、スーパーオーディオＣＤ（Compact Disk）やＤＶＤオーディオなどのマルチチャネルソースや、ＣＤなどの２チャネルソースを、アナログのままで聴くときに、高音質で聴くことができるモードである。
ダイレクトモードとは、アナログ信号、ＰＣＭ信号（２チャネル／マルチチャネル）、ＤＳＤ（Direct Stream Digital）信号（２チャネル／マルチチャネル）を、原音に忠実な高音質ステレオ音声で再生するモードである。
ストレートデコードモードとは、入力された信号に音場効果をかけずに再生するモードである。
ナイトリスニングモードとは、セリフなどは明瞭に、大きな効果音は抑えて再生するモードである。このため、夜間でも音量を気にせずに再生することができるモードである。
以上の各再生モードは、リモコン６に設けられたエフェクトキーを操作することによりＯＮ／ＯＦＦが設定される。
【００３２】
（Ａ−７；マニュアル設定）
上述した音場プログラム及び再生モードは、ユーザが簡易に音場・音響効果を設定できるように予めパラメータがプリセットされた機能である。該機能に加え、ユーザごとにきめ細かく対応した音響効果を実現するため、「マニュアル設定」機能が設けられている。マニュアル設定においては、以下に説明する複数のパラメータがパラメータごとに設定可能である。
ＧＵＩリモコン７により、ＧＵＩ画面における「マニュアル設定」を選択し、各パラメータの態様を表す選択肢の中からいずれかを選択することにより設定される。
【００３３】
基本設定として、例えば以下に示す設定項目がある。
ＴＨＸの設定において、ＴＨＸサラウンドモードについてのパラメータが設定される。具体的には、サブウーファーの低域出力やサラウンドバックＬ／Ｒスピーカ間の距離を調節して、最適なＴＨＸサラウンドモードの条件が設定される。
スピーカの設定において、ＡＶアンプ１に接続された各スピーカのサイズや有無などが設定される。音量設定においては、各スピーカからの音量レベルが最適なバランスとなるように、各スピーカからの出力レベルが個別に設定される。距離設定においては、各スピーカからリスニングポジションに音が到達するタイミングが設定される。サブウーファー設定においては、ＡＶアンプ１に接続されたサブウーファーの数や配置などが設定される。
【００３４】
音に関する設定として、例えば以下に示す設定項目がある。
ＬＦＥレベルの設定において、ドルビーデジタル、ＤＴＳ（Digital Theater Systems）及びＡＡＣ（Advanced Audio Coding）信号に含まれるＬＦＥ（爆発シーンなどで用いられる低域効果音）の再生レベルが調整される。
ダイナミックレンジの設定において、ドルビーデジタル、ＤＴＳ及びＡＡＣ再生時のダイナミックレンジが調整される。
イコライジングの設定においては、グラフィックイコライザーを使って、フロントＬ／センター／フロントＲチャネル、サラウンドＬ／Ｒチャネル、サラウンドバックＬ／Ｒチャネル、プレゼンスＬ／Ｒチャネルの音色が個別に調節される。
トーンコントロールの設定において、スピーカまたはヘッドホンから出力される音声の低音域と高音域が調整される。
その他の音声の設定において、音声と映像のずれを補正するいわゆるリップシンクに関する設定などがなされる。
【００３５】
映像の設定として、例えば以下に示す設定項目がある。
デジタル映像処理の設定において、デジタル映像処理回路のＯＮ／ＯＦＦを切り換える処理がなされる。
映像モードの設定において、出力する映像の画質を調整する処理がなされる。画質パターン（シネマ、スタンダード、ダイナミック）の選択や、輪郭強調、ノイズ除去、明るさ、コントラスト、色の濃さなどが設定される。
解像度の設定において、出力する映像の解像度を設定する処理がなされる。
アスペクトの設定において、出力する映像のアスペクト比の設定がなされる。該設定においては、設定を変換しない、自動、１６：９などの選択肢から選択される。
クロスカラーの設定において、クロスカラー（細かい模様などに発生する色のちらつき）除去機能のＯＮ／ＯＦＦが切り換えられる。
（Ａ−８；システムメモリ）
【００３６】
ユーザは、外部機器の種類（再生装置３の種類、スピーカ５の組み合わせなど）、音場プログラムの設定、ＹＰＡＯによる調整、及びマニュアル設定による各種パラメータの設定など、ＡＶアンプ１に多数の設定を行う。それらを使用の度に設定し直す労力を省くため、ＡＶアンプ１には「システムメモリ機能」が搭載されている。システムメモリ機能とは、ＡＶアンプ１の各種設定を、記憶手段（システムメモリ１０）に記憶しておき、ユーザにより指定されたタイミングで該記憶された条件を読出し設定する機能である。
【００３７】
図７に示すように、システムメモリ１０は、不揮発性の記憶領域（ＲＯＭ部１０Ａ）及び揮発性の記憶領域（ＲＡＭ部１０Ｂ）からなる。すなわち、ＲＯＭ部１０Ａの記憶領域は図１に示すＲＯＭ１１Ｂに確保され、ＲＡＭ部１０Ｂの記憶領域はＲＡＭ１１Ｃに確保される。
【００３８】
まず、ＲＡＭ部１０Ｂについて説明する。ＲＡＭ部１０Ｂは、その時点でのＡＶアンプ１に設定されている各種設定が書き込まれている記憶領域であり、その内容はリアルタイムに更新されている。制御部１１は、ＲＡＭ部１０Ｂに書き込まれた各種パラメータ値に基づいて動作する。
【００３９】
ここで、ＲＡＭ部１０Ｂに書き込まれる各種パラメータのグループ分けについて説明する。ＡＶアンプ１に設定されるパラメータは、複数（本実施形態では、６）のグループにグループ分けされている。図８に示すテーブルは、主なパラメータについて、その割り当てられたグループを示している。
同図に示すように、ＡＶアンプ１に設定される各種パラメータは、Ｉｎｐｕｔ／ＨＤＭＩ  Ｏｕｔ、Ａｕｄｉｏ、Ｖｏｌｕｍｅ、ＳＰ  Ｃｏｎｆｉｇ／ＹＰＡＯ、Ｖｉｄｅｏ、Ｏｐｔｉｏｎの６グループにグループ分けされている。同図において、各パラメータは、対応する列の丸印が付けられたグループに割り当てられている。
なお、上記テーブルにおいては、各パラメータは１つのグループに割り当てられているが、複数のグループにまたがって割り当てられているものがあっても良い。以下、各グループについて説明する。
【００４０】
「Ｉｎｐｕｔ／ＨＤＭＩ  Ｏｕｔ」には、現在の入力ソース、入力モード（ＡＵＴＯ、ＨＤＭＩ、アナログ、デジタル）、デコーダモード、ＨＤＭＩ出力方式に関するパラメータなどが含まれる。
「Ａｕｄｉｏ」には、音場プログラム、再生モード（ナイトモード、ピュアダイレクトモードなど）や各種エフェクトに関する設定、トーンコントロール、ＬＦＥレベル、ダイナミックレンジに関するパラメータ等が含まれる。
「Ｖｏｌｕｍｅ」には、各スピーカのデフォルトのボリュームを表すパラメータが含まれる。
「ＳＰ  Ｃｏｎｆｉｇ／ＹＰＡＯ」には、主にスピーカに関するパラメータが含まれる。該パラメータには、ＹＰＡＯにより設定されるパラメータの全てを含む。また、前回実行されたＹＰＡＯの測定値も含まれる。
「Ｖｉｄｅｏ」には、映像に関するパラメータが含まれる。上記マニュアル設定において説明した各種のパラメータが対応付けられる。
「Ｏｐｔｉｏｎ」には、リップシンク設定（映像と音声のずれを補正するための設定）、などに関するパラメータが含まれる。
【００４１】
次に、ＲＯＭ部１０Ａについて説明する。ＲＯＭ部１０Ａには、複数の記憶領域（以下、テンプレートＴ１〜ｎ）が設けられている。図７には、各テンプレートＴ１〜ｎの記憶領域が概念的に示されている。なお、以下では、テンプレートＴ１〜ｎを互いに区別する必要がない場合には、「テンプレートＴ」と総称する。
図７に示すように、ＲＯＭ部１０Ａにおける各テンプレートＴ１〜ｎには、各種パラメータの値が図８のテーブルに従ってグループごとに格納される。各テンプレートＴ１〜ｎにおいては、上記複数のグループそれぞれにフラグが書き込まれている。該フラグは、上記６グループそれぞれについての書き込み及び読出しを許可するか否かを示すものである。なお、参照図において○は許可を表し×は不許可を表す。
【００４２】
各テンプレートＴ１〜ｎのフラグは、デフォルトで許可／不許可が設定されており、図７に示すようにＩｎｐｕｔ／ＨＤＭＩ  Ｏｕｔでは不許可（×）に、Ａｕｄｉｏでは許可（○）に、Ｖｏｌｕｍｅでは不許可（×）に、ＳＰ  Ｃｏｎｆｉｇ／ＹＰＡＯとＶｉｄｅｏとＯｐｔｉｏｎとでは許可（○）に設定されている。Ｖｏｌｕｍｅではデフォルトで不許可（×）が設定されているのは、各スピーカのデフォルトのボリュームを容易に変更可能にすることは、安全管理上好ましくないからである。しかし、デフォルトとして設定されるフラグの種類は上記に示した種類に限られるものではなく、デフォルトではフラグが設定されていないとしても良い。
【００４３】
（Ｂ；動作）
次に、上記の構成を有するＡＶアンプ１の動作について説明する。なお、本動作例においては、ＤＶＤにより映像と音声が再生される場合について説明する。
まず、ユーザはＡＶアンプ１に対し、各種機器を接続する。具体的には、図３に示すように、モニタ２（モニタ２Ａおよび２Ｂ）、ＤＶＤプレーヤなどの再生装置３、オプティマイザーマイク４、スピーカ５をＡＶアンプ１に接続する。そしてＡＶアンプ１本体の電源を入れる。
【００４４】
（Ｂ−１；ＡＶアンプとしての一般的な動作）
各装置の接続などのセットアップが完了すると、まずＹＰＡＯが実行される。ＹＰＡＯの実行が指示されると、スピーカ５からテストトーンが放音され、該テストトーンはオプティマイザーマイク４により収音され、上述した所定の処理がなされる。
【００４５】
ＹＰＡＯにより、複数のパラメータがデフォルト値からＹＰＡＯにより最適化された値へと更新される。
次にユーザは、リモコンの入力選択キーまたはＡＶアンプ１本体のＩｎｐｕｔ  ｓｅｌｅｃｔｏｒスイッチを押し、ＡＶアンプ１へ信号を供給する再生装置３を選択する。ここでは、再生装置３としてＤＶＤプレーヤ５３が選択されたものとして以下の説明を続ける。ＡＶアンプ１本体の表示部１２Ａには該選択された再生装置の名称（例えば「ＤＶＤ」）が表示される。また、ユーザは、複数接続されたモニタ２Ａ、２Ｂのいずれを用いるかを選択する。
【００４６】
ＤＶＤプレーヤ５３からＡＶアンプ１に信号（音声信号及び映像信号）の入力が開始されると、該入力された信号に従って、映像がモニタ２に表示されると共に、音声がスピーカから放音される。
【００４７】
ユーザは、再生を開始されたＤＶＤの音声及び映像を確認しながらリモコン６の音場プログラム選択キーまたは操作部１２ＢのＰｒｏｇｒａｍｍｅ  ｓｅｌｅｃｔｏｒスイッチを操作することにより、音場プログラムを選択することができる。例えば、上記ＤＶＤにより大迫力の映画を鑑賞する場合には、「ムービーシアター」の音場を選択する。なお、音場プログラムの選択は必ずしも行われる必要はなく、音場効果を付与しない場合には、「ストレートデコード」の設定をすることができる。
【００４８】
また、上記ＤＶＤの鑑賞が夜間に行われているような場合には、「ナイトリスニングモード」に設定することも可能である。
また、例えばＤＶＤオーディオなど、高音質な音を表す信号を再生する場合には、ピュアダイレクトモードに設定することも可能である。
また、入力された信号がアナログ信号、ＰＣＭ（Pulse-Code Modulation）信号、ＤＳＤ信号などである場合、「ダイレクト」機能を設定すれば、原音に忠実な高音質ステレオ音声で再生される。
以上に説明したように、ＡＶアンプ１を用いてＤＶＤを再生する場合などには、周辺機器を様々に接続すると共に、各種のパラメータを最適な値にする処理が行われる。該各種設定状態は、システムメモリ１０のＲＡＭ部１０Ｂにその都度書き込まれ記憶されている。
【００４９】
（Ｂ−２；システムメモリ１０への書き込み）
ここで、上記各種設定をシステムメモリ１０へ書き込む方法について説明する。
上述したように、初期状態においてＲＯＭ部１０ＡのテンプレートＴ１〜ｎには、各パラメータのデフォルト値が書き込まれている。また、６つのグループに対応付けられたフラグには、許可（○）または不許可（×）がデフォルトで書き込まれている。
【００５０】
書き込み処理は以下のように行われる。ユーザにより特定のテンプレートＴが選択されると共に、該選択されたテンプレートＴにおいて、フラグがグループごとに許可（○）または不許可（×）に設定される。そして、該選択されたテンプレートＴへの書き込みを指示する「システムメモリ書き込みボタン」がＧＵＩ画面において選択されると、その時点でＲＡＭ部１０Ｂに書き込まれているパラメータが、該選択されたテンプレートＴに書き込まれる。その際、フラグが許可（○）となっているグループに対応付けられているパラメータについてのみＲＡＭ部１０Ｂの内容は転記され、その他の不許可（×）となっているグループに対応付けられたパラメータについては転記されない。なお、ＲＯＭ部１０Ａへの書き込みが行われた後も、設定されたフラグは更新されずに保存される。
また、ＧＵＩ画面には、該テンプレートＴの名称の入力を促す表示がなされる。ユーザは、テンプレートの記憶内容を判定可能な名称を入力しておくことで、各テンプレートＴを容易に識別可能とすることができる。
【００５１】
（Ｂ−３；テンプレートＴからの読出し）
次に、テンプレートＴからのパラメータの読出し方法について説明する。上述したように、ＲＡＭ部１０Ｂには、その時点でのＡＶアンプ１の設定を表すパラメータが書き込まれている。該ＲＡＭ部１０Ｂに書き込まれたパラメータは、ＲＯＭ部１０ＡのテンプレートＴに書き込まれたパラメータにより更新することが可能である。
【００５２】
上述のように、テンプレートＴには、各種のパラメータ値が書き込まれている。すなわち、上記テンプレートへの書き込み処理がなされたグループについては、更新されたパラメータ値が書き込まれていると共に、更新されていないパラメータについては、デフォルト値が書き込まれている。
ユーザは、読み出したいテンプレートＴを、各テンプレートＴに付された名称を参照して選択すると共に、該テンプレートＴにおいてＲＡＭ部１０Ｂに設定したいグループを選択しそのフラグを「許可（○）」に設定する。「システムメモリ読出しボタン」がＧＵＩ画面において選択されると、該選択されたテンプレートＴの選択されたグループに対応付けられたパラメータのデータが読み出され、ＲＡＭ部１０Ｂに書き込まれる。
【００５３】
なお、上記テンプレートＴの読出しに際し、各グループに対応付けられたパラメータをユーザが確認できるように、操作に応じて各グループに対応付けられたパラメータを表示する機能を設けても良い。
【００５４】
（Ｂ−４；システムメモリ機能に関する具体的な動作例）
以下では、２つの動作例について、システムメモリ１０へのデータの格納状況を示しながら説明する。
【００５５】
（Ｂ−４−１；動作例１）
本動作例においては、ユーザがＹＰＡＯによるパラメータの自動設定を複数回（本動作例では２度）実行し、いずれの設定結果が好みであるか、また、異なる条件で実行されたＹＰＡＯの設定によりどのように音が異なって聞こえるのかを聞き比べる場合について説明する。
【００５６】
まず、システムメモリ１０のＲＡＭ部１０Ｂには、本動作の開始時（初期状態）においてＡＶアンプ１に設定されているパラメータが書き込まれている（図７参照）。なお、上記初期状態の設定はどのようなものでも構わないが、ここでは、デフォルトのパラメータ値が書き込まれているとする。
【００５７】
ここで、ユーザによりＹＰＡＯが実行される。その結果、ＲＡＭ部１０Ｂにおいて、「ＳＰ  Ｃｏｎｆｉｇ／ＹＰＡＯ」と対応するパラメータが更新される（図９参照）。また、「Ｉｎｐｕｔ／ＨＤＭＩ  Ｏｕｔ」、「Ａｕｄｉｏ」、及び「Ｖｉｄｅｏ」に含まれる各種パラメータがマニュアル設定により設定され、ＲＡＭ部１０Ｂが更新される（図９参照）。
【００５８】
ここで、初期状態における「ＳＰ  Ｃｏｎｆｉｇ／ＹＰＡＯ」と対応するパラメータがテンプレートＴ１に書き込む処理が行われる（図１０参照）。まず、テンプレートＴ１が選択される。なお、以降の参照図において、太枠で囲まれたテンプレートＴは、ユーザにより選択されていることを示す。次に、「ＳＰ  Ｃｏｎｆｉｇ／ＹＰＡＯ」に対応するフラグのみ許可（○）となるように各グループのフラグが変更される。そして、「システムメモリ書き込みボタン」がＧＵＩ画面において選択されると、ＲＡＭ部１０Ｂに書き込まれたパラメータの中から、ＳＰ  Ｃｏｎｆｉｇ／ＹＰＡＯに対応付けられたパラメータについてのみ、テンプレートＴ１に書き込まれる。そして、ユーザは、各テンプレートＴの名称の入力を促すＧＵＩ画面に従い、名称を入力する。ここでは、「ＹＰＡＯ１」と入力されたものとする。
なお、以降の参照図において、短い矢印は、該当する箇所が変更されたことを表し、長い矢印は、データが記憶領域間で転記されたことを表す。
【００５９】
ここで、ユーザが視聴条件に変更を加えたものとする。該視聴条件の変更に伴い、映像の設定をマニュアルで変更する必要性が生じ、実際に変更を行ったものとする。ここでは、ＤＶＤプレーヤの機種と再生するＤＶＤを変更したため、ＨＤＭＩ、ＴＨＸに係る設定の一部を変更したものとする。すなわち、図１１に示すように、「Ｉｎｐｕｔ／ＨＤＭＩ  Ｏｕｔ」、「Ｖｏｌｕｍｅ」、及び「Ｖｉｄｅｏ」の各グループに対応付けられたパラメータが変更される。該変更に従ってＲＡＭ部１０Ｂが更新される。
【００６０】
さて、このように変更された条件で視聴空間Ｒにとって最適な音場を設定するために、ユーザは、ＹＰＡＯを再び実行させる。該ＹＰＡＯにより、ＲＡＭ部１０Ｂに書き込まれたＹＰＡＯに関連するパラメータは新たな最適値に更新される（図１１参照）。
さて、ユーザは、上記視聴空間Ｒを変更する前と後とで、それぞれ最適化されたＹＰＡＯの設定が、どのように音の違いを生むかを聞き比べようとしている。そこで、ユーザの指示に従い、設定の変更後においてＲＡＭ部１０Ｂに書き込まれているパラメータの値をテンプレートＴに転記する処理が行われる。
【００６１】
具体的には、図１２に示すように、テンプレートＴ２が選択され、該選択されたテンプレートＴ２において、「ＳＰ  Ｃｏｎｆｉｇ／ＹＰＡＯ」のフラグのみが「許可」となるように各グループのフラグが設定される。その後、「システムメモリ書き込みボタン」がＧＵＩ画面において選択されると、ＲＡＭ部１０Ｂに書き込まれたパラメータの中から、「ＳＰ  Ｃｏｎｆｉｇ／ＹＰＡＯ」に対応付けられたパラメータのみが選択的にテンプレートＴ２に書き込まれる。そして、ユーザは、テンプレートＴ２の名称として「ＹＰＡＯ２」と入力する。
【００６２】
さて、ユーザは、再びテンプレートＴ１の内容をＲＡＭ部１０Ｂに読出すために、以下のようにする（図１３参照）。ユーザは、テンプレートＴ１を選択すると共に、「ＳＰ  Ｃｏｎｆｉｇ／ＹＰＡＯ」のフラグのみが許可であることを確認した後、「システムメモリ読出しボタン」を選択する。その結果、テンプレートＴ１に書き込まれた各種パラメータから、「許可」が設定されたフラグに対応付けられたパラメータ（この場合、「ＳＰ  Ｃｏｎｆｉｇ／ＹＰＡＯ」に対応付けられたパラメータ）が選択的に読み出され、ＲＡＭ部１０Ｂに書き込まれる。
【００６３】
このように、既に作成されたテンプレートＴ１〜ｎから、グループごとに選択的にパラメータを読み出してＲＡＭ部１０Ｂに書き込む処理は繰り返し実行することが可能であり、「ＹＰＡＯ１」及び「ＹＰＡＯ２」に含まれる所望のグループのパラメータを交互にＡＶアンプ１に設定し、その結果生じる音場を聞き比べることが容易に行われる。
【００６４】
以上の処理においては、その時点でのＡＶアンプ１の設定を表すパラメータをテンプレートＴ１〜ｎに書き込む処理において、所望のグループを選択的に書き込むことができた。また、テンプレートＴ１〜ｎからパラメータを読み出す際に、所望のパラメータ（グループ）のみを選択的に読み出してＲＡＭ部１０Ｂに設定することができた。
このことにより、必要最低限のパラメータの読出しが可能となり、途中で変更した他のパラメータについては不必要に変更されてしまうことがない。また、所望のパラメータに限って変更することができるため、純粋に該パラメータに由来する効果を確認することができる。また、テンプレートＴの読出しに際し、各テンプレートＴには名称が対応付けられて記憶されているため、パラメータの読出しが正確かつ容易となる。
【００６５】
（Ｂ−４−２；動作例２）
本動作例においては、接続された２つのモニタ２Ａ、２Ｂを切り換えて用いる場合について説明する。なお、動作例２は、上記動作例１の動作が行われた後に実行されるものとする。すなわち、ＲＯＭ部１０ＡのテンプレートＴ１、２には、既に上述のデータが書き込まれているものとする。ただし、参照する図面においては、テンプレート１、２は必要に応じて示す。
本動作開始時には、モニタ２Ａが出力機器として選択されているものとする。
【００６６】
システムメモリ１０のＲＡＭ部１０Ｂには、本動作の開始時（初期状態）においてＡＶアンプ１に設定されているパラメータが書き込まれている（図７参照）。
【００６７】
まず、モニタ２Ａが接続された初期状態における設定がテンプレートＴ３に書き込まれる（図１４参照）。すなわち、テンプレートＴ３が選択され、ここでは「Ｉｎｐｕｔ／ＨＤＭＩ  Ｏｕｔ」及び「Ｖｉｄｅｏ」に対応するフラグのみが許可（○）となるよう設定される。そして、「システムメモリ書き込みボタン」がＧＵＩ画面において選択されると、ＲＡＭ部１０Ｂに書き込まれたパラメータの中から、「Ｉｎｐｕｔ／ＨＤＭＩ  Ｏｕｔ」及び「Ｖｉｄｅｏ」に対応付けられたパラメータについてのみ、テンプレートＴ３に書き込まれる。そして、ユーザは、テンプレートＴ３の名称として、「モニタ２Ａ」と入力する。
【００６８】
次に、ユーザは、該接続されたモニタ２Ａに最適化するよう各種の設定を行う（図１５参照）。例えば、「Ａｕｄｉｏ」に係る設定の一部を変更したものとする。その場合、「Ａｕｄｉｏ」に対応付けられたパラメータが変更され、該変更後のパラメータはＲＡＭ部１０Ｂに書き込まれる。
【００６９】
また、このように変更された条件で視聴空間Ｒに最適な音場を設定するために、ユーザは、以前ＲＯＭ部１０ＡにテンプレートＴとして記憶させた設定を読み出して用いることも可能である。例えば、図１６に示すように、上記動作例１において生成されたテンプレートＴ１を選択すると共に、該テンプレートＴ１の「ＳＰ  Ｃｏｎｆｉｇ／ＹＰＡＯ」のフラグを「許可」（○）にすると共に、「システムメモリ読出しボタン」がＧＵＩ画面において選択されると、ＲＡＭ部１０Ｂに書き込まれたＹＰＡＯに関連するパラメータは、「ＹＰＡＯ１」に書き込まれたパラメータに更新される。このように、視聴空間Ｒの音響特性に変更は生じていないような場合には、以前に記憶させておいた設定を読み出して用いると便利である。
【００７０】
さて、ユーザは、本動作例においては、モニタ２Ａとモニタ２Ｂを切り換えて用いることを想定している。この段階で、ＡＶアンプ１の出力先をモニタ２Ａからモニタ２Ｂに変更する。
【００７１】
ユーザは、新たに出力先として選択されたモニタ２Ｂに合わせて、「Ｉｎｐｕｔ／ＨＤＭＩ  Ｏｕｔ」及び「Ｖｉｄｅｏ」の設定を行う。該設定変更は、ＲＡＭ部１０Ｂに書き込まれる（図１７参照）。
【００７２】
ここで、新たに設定されたモニタ２Ｂに最適化された設定が、テンプレートＴ４に書き込まれる（図１８参照）。すなわち、テンプレートＴ４が選択され、「Ｉｎｐｕｔ／ＨＤＭＩ  Ｏｕｔ」及び「Ｖｉｄｅｏ」に対応するフラグのみが許可（○）となるよう設定される。そして、「システムメモリ書き込みボタン」がＧＵＩ画面において選択されると、ＲＡＭ部１０Ｂに書き込まれたパラメータの中から、「Ｉｎｐｕｔ／ＨＤＭＩ  Ｏｕｔ」及び「Ｖｉｄｅｏ」に対応付けられたパラメータのみがテンプレートＴ４に書き込まれる。そして、ユーザは、テンプレートＴ４の名称として、「モニタ２Ｂ」と入力する。
【００７３】
以上のように、一旦モニタごとに「Ｉｎｐｕｔ／ＨＤＭＩ  Ｏｕｔ」及び「Ｖｉｄｅｏ」が設定された場合、以下のように、モニタ２Ａとモニタ２Ｂの切り替えが容易に行われる。すなわち、モニタ２Ｂからモニタ２Ａに再び出力先が切り換えられたとき、テンプレートＴ３において、「Ｉｎｐｕｔ／ＨＤＭＩ  Ｏｕｔ」及び「Ｖｉｄｅｏ」のフラグを「許可」として読み出すことにより、それらのグループに関連付けられたパラメータを読み出し、該パラメータを選択的にＲＡＭ部１０Ｂに設定することができる（図１９参照）。
また、この場合、「Ｉｎｐｕｔ／ＨＤＭＩ  Ｏｕｔ」の設定のみを読出したい場合には、図２０に示すように、「Ｉｎｐｕｔ／ＨＤＭＩ  Ｏｕｔ」のフラグのみが「許可」となるように、「Ｖｉｄｅｏ」に対応するフラグを「不許可（×）」と変更し、システムメモリの読出しを行えば良い（図２０参照）。
【００７４】
ＨＤＭＩ機器のリップシンク設定や映像調整などは出力機器により異なり、従来ＨＤＭＩ機器を切り換える際には、そのたびに該複雑な設定を行わなければならなかった。しかし、以上に説明したように、ＡＶアンプ１の使用方法が切り換えられる場合には、切り換えの前後において最適化された設定をＲＯＭ部１０Ａに記憶させておき、適宜読み出すことにより、ＡＶアンプ１の各種設定が容易に切り換えられる。
【００７５】
（Ｂ−５；動作のまとめ）
従来のＡＶアンプにおいては、その使用条件（視聴空間、用いられる周辺機器など）に応じて種々のパラメータを最適化して用いることが必要であり、従来は、使用条件ごとのパラメータを組み合わせてシステムメモリに記憶させておき、該パラメータが読み出されて設定されていた。しかし、該システムメモリには、パラメータが予め決められた組み合わせで記憶されていることから、該システムメモリが読み出される場合には、それら全てのパラメータが読み出され、その時点での使用条件に最適化されており変更を望まないパラメータをも更新されてしまっていた。
【００７６】
しかし、本発明に係るＡＶアンプ１によれば、使用条件ごとに所望のパラメータのみをシステムメモリ１０に記憶しておくことができ、更には、該システムメモリ１０からパラメータを読み出す際、所望のパラメータを選択的に読み出して設定することができる。
また、相互に関連しているパラメータが相互に関連付けてグループ化されているため、ユーザはそのグループを選択するだけで、書き込み／読み出しを行うパラメータを簡易に選択することができる。
【００７７】
（Ｃ；変形例）
以上、本発明の実施形態について説明したが、本発明は以下のように種々の態様で実施することができる。なお、以下に説明する種々の実施形態を、適宜組み合わせて実施することも可能である。
【００７８】
（１）上記実施形態においては、スピーカ５が１つの視聴空間Ｒに設けられる場合について説明した。しかし、スピーカ５を複数のゾーン（部屋）にまたがって設け、ＡＶアンプ１が該複数のゾーンに同じソースを出力することができる機能を併せ有するようにしても良く、そのような場合に本発明を適用しても良い。その場合の実施形態の概要を以下に説明する。
主なゾーン（メインゾーン）において再生される信号を、他のゾーン（サブゾーン）においても再生する場合、再生の対象となる信号はメインゾーンに設けられた各スピーカに供給される。それと共に、同信号（すなわちメインゾーン用の信号）は、そのチャネル数が各サブゾーンに対して割り当てられた出力端子の数と一致するようにダウンミキシング処理され、ダウンミキシング処理が施された信号は、サブゾーンに設けられたスピーカへ供給される。
このような場合に、メインゾーン及びサブゾーンにおける各種設定は、ゾーンごとに設定されるのが望ましい。各種設定とは、例えば各ゾーンにおける各スピーカのボリューム、トーンコントロール設定（画像のトーンスケールを調整するための調整値）、各種音響設定（音場プログラム、各種エフェクト）などである。これらのパラメータを、ゾーンごとに設定しシステムメモリに記憶させておき、必要時には該システムメモリを読み出して各ゾーンに対して設定するようにする。その際、上記実施形態に記載したように、ゾーンごとに、又、パラメータごとにパラメータ値の書き込み／読み出しを実行可能としておけば良い。そのようにすれば、上記実施形態において説明したように、各ゾーンにおける各パラメータが所望の組み合わせで記憶されると共に、読出しの際にも所望の組み合わせで読み出され各ゾーンにおいて所望のパラメータが更新される。
【００７９】
（２）上記実施形態においては、図８に記載したような組み合わせでパラメータを記憶させたり読出したりしたが、以下のようにしても良い。
（ａ）リカバリー機能
上記実施形態において、特定の１つのテンプレートＴにおいて、上記に記載の全ての設定項目を保存することができるようにしても良い。例えば、ＡＶアンプ１を初期化する際にメインテナンスを行う者が該テンプレートＴを読み出して用いるなどすれば良い。なお、該テンプレートＴに記憶されたパラメータがユーザにより容易に変更されないように、ＧＵＩリモコンからは書き込み及び読み出しの操作ができず、特別なメニュー画面（Ａｄｖａｎｃｅｄ  Ｓｅｔｕｐ）からのみ制御可能としても良い。
（ｂ）ボリュームメモリ機能（イニシャルボリューム）
ボリュームメモリ機能とは、各ゾーンに設けられたスピーカのボリューム値のみをテンプレートＴに保存する機能である。システムメモリ１０において、図６に示した１０個のスピーカ全てのボリューム値を書き込み可能とするのが好ましい。
【００８０】
（３）上記実施形態においては、各種パラメータのグループ分けを図８のテーブルに従って行う場合について説明した。しかし、該グループ分けはあくまでも例示であり、該グループ分けとは異なっていても良いことは言うまでもない。また、グループ分けを行わず、システムメモリ１０への書き込み及びシステムメモリ１０からの読出しを、各パラメータについて個別に制御するようにしても良い。すなわち、上記実施形態に示したように、各パラメータに対してフラグを設け、該フラグの各々について「許可」または「不許可」を設定するようにしても良い。
【００８１】
（４）上記実施形態においては、ＹＰＡＯ、音場プログラム、再生モード、マニュアル設定など各種の方法でＡＶアンプ１にパラメータが設定される場合について説明した。しかし、ＡＶアンプ１に各種の設定をする方法は、上記いずれかに記載の方法でも良いし、更に他の方法を組み合わせても良い。
【００８２】
（５）上記実施形態においては、本発明に係るＡＶアンプ１に特徴的な機能を実現するための制御プログラムを、ＲＯＭ１１Ｂに予め書き込んでおく場合について説明したが、磁気テープ、磁気ディスク、フレキシブルディスク、光記録媒体、光磁気記録媒体、ＲＡＭ、ＲＯＭなどのコンピュータ読み取り可能な記録媒体に上記プログラムを記録して配布するとしても良く、インターネット網などの電気通信回線経由のダウンロードにより上記プログラムを配布するようにしても良い。
【００８３】
（６）上記実施形態においては、テンプレートＴにパラメータを書き込む際に、フラグが「許可」に設定されているパラメータに限定して書き込みを行う処理と、テンプレートＴからパラメータを読み出す際に、フラグが「許可」に設定されているパラメータに限定して読み出す処理と、両処理が実行されるＡＶアンプについて記載した。しかし、それら両処理のいずれか一方のみを行うとしても良い。そのような場合、予めパラメータを選択的にテンプレートＴに書き込んでおけば、該テンプレートを読み出す際に、書き込まれている全てのパラメータを読み出すとしても一部のパラメータのみがＲＡＭ部１０Ｂに設定されることになる。また、テンプレートＴに全てのパラメータについて書き込みを行うとしても、該テンプレートＴからパラメータを読み出す際に特定のパラメータのみを読み出すようにすれば、一部のパラメータのみがＲＡＭ部１０Ｂに設定されることになる。
【図面の簡単な説明】
【００８４】
【図１】ＡＶアンプ１の構成を示した図である。
【図２】ＡＶアンプ１本体の外観（前面）を示す図である。
【図３】ＡＶアンプ１の周辺機器について示した図である。
【図４】リモコン６のキー配置を示す図である。
【図５】ＧＵＩリモコン７のキー配置を示す図である。
【図６】視聴空間Ｒにおけるスピーカ５の配置を示す図である。
【図７】システムメモリ１０の内容を表す図である。
【図８】各種パラメータのグループ分けを示した図である。
【図９】システムメモリ１０の内容を表す図である。（動作例１）
【図１０】システムメモリ１０の内容を表す図である。（動作例１）
【図１１】システムメモリ１０の内容を表す図である。（動作例１）
【図１２】システムメモリ１０の内容を表す図である。（動作例１）
【図１３】システムメモリ１０の内容を表す図である。（動作例１）
【図１４】システムメモリ１０の内容を表す図である。（動作例２）
【図１５】システムメモリ１０の内容を表す図である。（動作例２）
【図１６】システムメモリ１０の内容を表す図である。（動作例２）
【図１７】システムメモリ１０の内容を表す図である。（動作例２）
【図１８】システムメモリ１０の内容を表す図である。（動作例２）
【図１９】システムメモリ１０の内容を表す図である。（動作例２）
【図２０】システムメモリ１０の内容を表す図である。（動作例２）
【符号の説明】
【００８５】
１…ＡＶアンプ、２…モニタ、３…再生装置、４…オプティマイザーマイク、５…スピーカ、６…リモコン、７…ＧＵＩリモコン、１０…システムメモリ、１１…制御部、１２…ＵＩ部、１３…電源部、１４…チューナ、１５…アナログ音声信号処理部、１７…デジタル音声信号処理部、１８…デジタルインタフェース部、１９…デジタルビデオ信号処理部、２０…アナログビデオ信号処理部、２１…アナログ音声信号入力端子、２２…入力切替部、２３…ボリューム調整部、２４…Ａ／Ｄコンバータ、２５…Ｄ／Ａコンバータ、２６…パワーアンプ、２９…デジタル音声入力端子、３０…ＤＩＲ、３１…デコーダ、３２…ＤＳＰ部、３３…ＨＤＭＩ端子、３４…入力選択部、３５…ＨＤＭＩリピータ、３６…トランスミッター、３７…デジタルビデオ処理及びＧＵＩ処理部、３８…ビデオエンコーダ、３９…ビデオデコーダ、４０…アナログビデオ入出力端子、４１…入力切替部、４２…バッファアンプ、４３…バッファアンプ、５３…ＤＶＤプレーヤ、５６…ゲーム機
【図１】
0004967916.tif 000002
【図２】
0004967916.tif 000003
【図３】
0004967916.tif 000004
【図４】
0004967916.tif 000005
【図５】
0004967916.tif 000006
【図７】
0004967916.tif 000007
【図８】
0004967916.tif 000008
【図９】
0004967916.tif 000009
【図１０】
0004967916.tif 000010
【図１１】
0004967916.tif 000011
【図１２】
0004967916.tif 000012
【図１３】
0004967916.tif 000013
【図１４】
0004967916.tif 000014
【図１５】
0004967916.tif 000015
【図１６】
0004967916.tif 000016
【図１７】
0004967916.tif 000017
【図１８】
0004967916.tif 000018
【図１９】
0004967916.tif 000019
【図２０】
0004967916.tif 000020
【図６】
0004967916.tif 000021